(57)【要約】【課題】  本発明は、数種の幅寸法に対応することができ、かつ密閉性を保持することができる基礎天端養生用カバーを提供することを目的とするものである。【解決手段】  本発明の基礎天端養生用カバー１は、断熱性を有する熱可塑性合成樹脂素材より形成されるものであり、断面が鉛直上方に突出した凸形状に形成され、その両側端に沿って水平上に載置板２が一体的に延設される養生カバー本体３と、伸縮自在なゴム紐よりなる伸縮部材４の両端に型枠係留用フック部５が装着された養生カバー取付け部６とから構成されるものである。【選択図】      図１
2005248441.tif 000002
【特許請求の範囲】
【請求項１】
基礎コンクリートの型枠上端に取付けられるカバーであって、
型枠上部を覆う断面が鉛直上方に突出した凸形状に形成され、かつその開口端に沿って水平上に延設される載置板から成る養生カバー本体と、
該養生カバー本体の開口端に沿って水平上に延設される載置板と、
常時は、その有する弾性力によって収縮した伸縮部材の両端に型枠係留用フック部が装着される養生カバー取付け部を備える
ことを特徴とする基礎天端養生用カバー。
【請求項２】
前記養生カバー本体が、断熱性素材より形成される
ことを特徴とする請求項１記載の基礎天端養生用カバー。
【請求項３】
前記養生カバー本体の内側面に断熱材を設ける
ことを特徴とする請求項１記載の基礎天端養生用カバー。
【請求項４】
前記伸縮部材が紐状ゴム材である
ことを特徴とする請求項１、２または３記載の基礎天端養生用カバー。
【発明の詳細な説明】
【技術分野】
【０００１】
本発明は、基礎天端養生用カバーに関する。詳しくは基礎コンクリートの天端のひび割れを防ぐために型枠の天端に取り付けられる基礎天端養生用カバーに係るものである。
【背景技術】
【０００２】
現在の一般的な住宅施工の基礎工事は、図１１に示すように、栗石を被覆して形成されたベースコンクリート層１０１上に基礎型枠１０２をセパレータ１０３およびサポート１０４等によって一定間隔設けて連続して立ち上げ、この基礎型枠１０２内にコンクリートを流し込み養生することで基礎コンクリートが構築される。
【０００３】
そこで前記基礎型枠１０２は、その上方が開口しており、コンクリートが硬化するまでは雨が降らない時期を見計らって作業しなくてはならない。又、寒い時期では流し込まれたコンクリートが硬化するまでに時間がかかり、更には氷点下ではコンクリート内の水分のみが凍ってセメントと分離状態となり養生後の強度が著しく低下する現象が生じる。
【０００４】
また、真夏時には太陽熱によって基礎型枠内のコンクリート表層部の温度が上昇し、セメントと水分とが充分に化学反応を起こす前に水分のみが蒸発することにより、天端表面にヒビ割れが生じ、更には底部と底部とでの硬化時間に差が生じて均一な硬化ができない問題がある。
【０００５】
このような問題を解決する手段として例えば図１２に示す発明がある。この基礎天端養生材は、基礎型枠１０２の上端に取付ける一種のカバーであって、基礎型枠上部を覆うカバー部１１１と該カバー部１１１の両側に形成して基礎型枠を挟み込む挟持片１０５、１０５とから構成される（例えば、特許文献１参照。）。
【０００６】
また、図１３に示すように、基礎型枠１０２にコンクリート１０６を打設し、打設したコンクリート天端１０７から所定の高さになるように基礎天端高さを設定する。次いで、コンクリート天端に複数のせき止め板１０８を所定間隔おいて設置し、隣り合うせき止め用板で区画されたせき止め区画に、セルフレベリング材１０９を、コンクリート天端から基礎天端高さまで順次打設する。更にせき止め区画にはほぼ対応した長さをもち弾性変形可能な断熱性材料で形成された基礎天端養生カバー１１０を基礎型枠１０２の上端部に取付ける構成とした発明がある（例えば、特許文献２参照。）。
【０００７】
【特許文献１】特開平１１−１００９９５号公報（要約書、第１図）
【０００８】
【特許文献２】特開２００３−１２００３２号公報（要約書、第２図）
【発明の開示】
【発明が解決しようとする課題】
【０００９】
この特許文献１における基礎天端養生材および特許文献２における基礎天端養生カバーは、基礎コンクリートの型枠上端に取り付けるものであり、基礎型枠のカバーとして機能し、雨が降っても作業をすることができ、又気温が低い時期では、コンクリートの硬化に伴って発生する熱を外部に逃がすことがなく、比較的短い時間で硬化することが可能となる。更に、真夏日で気温が高い時には基礎天端養生材が直射日光を遮断することで太陽熱による局部的なヒビ割れを防止することができるものである。
【００１０】
しかしながら前記特許文献１における基礎天端養生材は、弾性変形する樹脂材より形成し、この弾性力によって型枠の両側端を挟持して取り付けるものであるが、基礎型枠の幅寸法は１００ｍｍ、１２０ｍｍ、１５０ｍｍ、１６０ｍｍの場合があり、例えば１００ｍｍの幅寸法として製作された基礎天端養生材にあっては、１２０ｍｍの幅寸法の基礎型枠に対してカバー部の湾曲度を変化して両挟持片間の距離を変えて取付けることができるが、１５０ｍｍや１６０ｍｍの幅寸法の基礎型枠に対してはカバー部の湾曲度の変化に限界が生じ、幅調整ができないことが多く、例え取付けることができたとしても振動や衝撃によって外れたり、カバー部の弾性力が低下したりする問題がある。
【００１１】
更に、前記特許文献２における基礎天端養生カバーは、数種の幅寸法の基礎型枠に対応する幅長さの基礎天端養生カバーを予め用意する必要があり、数種の幅寸法の基礎型枠に対して幅調整ができない問題がある。
【００１２】
また、特許文献１における基礎天端養生材および特許文献２における基礎天端養生カバーにあっては、これらの幅長さより小さい幅寸法の基礎型枠に対しては、カバー部および挟持片の弾性力によって基礎型枠の両端を挟持することができず、基礎型枠の両端との間に隙間が生じ、この隙間から外気が流れ込むことによる風圧によって基礎型枠より外れたりする問題がある。
【００１３】
本発明は、以上の点に鑑みて創案されたものであって、数種の幅寸法に対応することができ、かつ密閉性を保持することができる基礎天端養生用カバーを提供することを目的とするものである。
【課題を解決するための手段】
【００１４】
上記の目的を達成するために、本発明に係る基礎天端養生用カバーは、基礎コンクリートの型枠上端に取付けられるカバーであって、型枠上部を覆う断面が鉛直上方に突出した凸形状に形成され、かつその開口端に沿って水平上に延設される載置板から成る養生カバー本体と、該養生カバー本体の開口端に沿って水平上に延設される載置板と、常時は、その有する弾性力によって収縮した伸縮部材の両端に型枠係留用フック部が装着される養生カバー取付け部を備える。
【００１５】
ここで、基礎天端養生用カバーは、数種の幅寸法の異なる基礎型枠に対して、その開口端に沿って水平上に延設される載置板が基礎型枠の上端面にかかることにより養生カバー取付け部によって基礎天端を覆うように取付けることが可能となる。
【００１６】
また、複数の基礎天端養生用カバーの接続端を互いに重合させることにより雨水との侵入を防止し、密閉性を向上させることになる。
【００１７】
更に、基礎天端養生用カバーを断熱性素材により形成する、あるいは内側面に発泡スチロールなどの断熱材を設けることにより、冬場などの気温の低い時期にあっては、冷気を遮断してコンクリート内の水の氷結を防止し、又夏場などの気温の高い時期にあっては、直射日光を遮断すると共に、気温の上昇によるコンクリート内の水の乾燥を防ぎ、適正なコンクリートの養生を可能とする。
【発明の効果】
【００１８】
本発明による基礎天端養生用カバーでは、基礎型枠内にコンクリートを流し込んだ後に型枠上端に取り付けることにより、雨水の侵入を防ぎながら降雨時での作業を行うことを可能とするものである。
【００１９】
更に、各基礎天端養生用カバーを重合した状態で接続することにより密封性が保持され、かつ断熱作用によって冬季における氷結や夏季における蒸発を防止し、良好な好天端養生を確保することで天端のヒビ割れを防止することが可能となる。
【００２０】
また、基礎天端養生用カバーと養生カバー取付け部との組み合わせにより数種の幅寸法の基礎型枠に対して、基礎天端養生用カバーの両側端に設けられる載置板が基礎型枠上端にかかることで取付けることができ、かつ取り外しも容易に行えることにより非常に作業性が向上する。
【発明を実施するための最良の形態】
【００２１】
以下、本発明の実施の形態を図面を参酌しながら説明し、本発明の理解に供する。
図１（イ）（ロ）は、本発明を適用した基礎天端養生用カバーの一例を説明するための斜視図である。
【００２２】
ここで示す基礎天端養生用カバー１は、断熱性を有する熱可塑性合成樹脂素材より形成されるものであり、断面が半円形状に湾曲形成され、その両側端に沿って水平上に載置板２が一体的に延設される養生カバー本体３と、伸縮自在なゴム紐よりなる伸縮部材４の両端に型枠係留用フック部５が装着された養生カバー取付け部６とから構成されるものである。
【００２３】
そこで養生カバー本体３は全長Ｌ１を約２ｍ、開口幅Ｌ２を約１００ｍｍ、載置板２幅Ｌ３を４５〜５０ｍｍとするものである。これは図２に示すように、一般的な基礎型枠７の長さが約１．８ｍとされることから養生カバー本体の重合部分を考慮して養生カバー本体３の長さを約２ｍとした。また、基礎型枠７の上端幅が約４５ｍｍ〜５０ｍｍとされることから載置板２幅を約４５ｍｍ幅とした。更に基礎型枠１間の距離Ｌ４は最小１００ｍｍとされるために、養生カバー本体３の開口幅を約１００ｍｍとすることで、載置板と合わせた全体幅が約１９０ｍｍ〜２００ｍｍとなり、基礎型枠間の距離が１２０ｍｍ、１５０ｍｍ、１６０ｍｍであっても基礎型枠上端に載置板がかかることになり、養生カバー本体の取り付けが可能となる。
【００２４】
また、養生カバー取付け部６は図３に示すように、養生カバー本体３を覆うようにゴム紐からなる伸縮部材４の付勢力に抗しながら伸長し、その両端の型枠係留用フック部５を基礎型枠１の上端に引っ掛けることにより基礎型枠７上端に取り付けることが可能となる。
【００２５】
ここで、図４は本発明を適用した基礎天端養生用カバーにおける養生カバー本体の他の例を説明するための断面図である。
断面が半円形状に湾曲形成され、その両側端に沿って水平上に載置板２が一体的に延設される養生カバー本体３の円形内側面に発泡スチロールなどの断熱材８を貼着するものである。従って養生カバー本体３が熱伝導性の高い金属板や薄状の合成樹脂板であっても、この断熱材８を設けることにより断熱効果を確保することが可能となる。
【００２６】
また、基礎型枠がＬ字、Ｔ字、十字状に交差する箇所や基礎型枠の端部に使用する養生カバー本体は図５に示すように、その両側端に沿って水平上に載置板２が一体的に延設される養生カバー本体３の前後のいずれか一端の半円形開口端を覆板９によって遮蔽し、更に養生カバー本体３の断面形状である半円形状とした連結板１０を一体的二接続した構成とするものである。
【００２７】
これにより基礎型枠がＬ字状に立ち上げられる場合には図６に示すように、覆板９が設けられる方を直角上となるように基礎枠体上に取り付けることで密閉性が確保できると共に、連結板１０によってＬ字状に接合される養生カバー本体３間の隙間を無くして雨水などの浸入を完全に防止するものである。
【００２８】
また、基礎型枠がＴ字状に立ち上げられる場合には図７に示すように、養生カバー本体３の略中央外側面に対して覆板９が接するような状態で養生カバー本体３をＴ字形状に取付けるものである。この場合も連結板１０によってＴ字状に接合される養生カバー本体３間の隙間を無くして雨水などの浸入を完全に防止するものである。
【００２９】
更に基礎型枠が十字状に立ち上げられる場合には図８に示すように、養生カバー本体３の略中央外側面に対して覆板９が接するような状態で養生カバー本体３を相対するようにＸ字形状に取付けるものである。この場合も前記同様に連結板１０によって十字状に接合される養生カバー本体３間の隙間を無くして雨水などの浸入を完全に防止するものである。
【００３０】
ここで示す養生カバー本体の断面形状は必ずしも半円形形状に形成される必要性は無く、基礎コンクリート天端に突出状に取付けられるアンカーボルトなどの金具に干渉されない空間部が形成される形状であれば三角形状や四角形状などいかなる断面形状であっても構わない。
【００３１】
なお、本発明の養生カバー本体は必ずしも断熱性を有する熱可塑性合成樹脂素材より形成される必要性は無く、断熱性を有するものであれば金属製や木製などいかなる素材であっても構わないが、軽量かつ加工性の優れた合成樹脂素材が最も望ましい。
【００３２】
また、本発明の養生カバー取付け部における伸縮部材は必ずしもゴム紐より形成される必要性は無く、常時は付勢力によって伸縮し、かつ付勢力に抗しながら伸長する部材として例えばスプリング部材であっても構わない。
【００３３】
以上の構成よりなる本発明では図９に示すように、基礎型枠７間の距離が例えば１００ｍｍ以外の１２０ｍｍ、１５０ｍｍ、１６０ｍｍであっても養生カバー本体３の載置板２と合わせた全体幅が約１９０ｍｍ〜２００ｍｍとなることから、基礎型枠７上端に載置板２の一部がかかることになり、養生カバー本体３への取り付けが可能となる。
【００３４】
更に図１０に示すように、養生カバー本体３端を重合させながら接続することにより雨水の浸入を防止し、密閉性を確保することが可能となる。この密閉性と断熱効果により冬期であってもセメントと水との化学反応による発熱を逃がすことなく、養生カバー本体３と基礎コンクリートＡの天端Ｂとの空間を４度以上に保持することが可能となり、コンクリート内の水の氷結による不完全養生を未然に防ぐことができる。
【００３５】
また、夏期にあっては養生カバー本体３によって直射日光を遮断することができ、かつ天端Ｂ上の温度の上昇を抑えることにより、コンクリート内の水の蒸発を防ぎ、セメントと水との化学反応を持続させることでひび割れなどの現象を防ぐことが可能となる。
【００３６】
更に、養生カバー本体３を断面が半円形状とすることにより養生カバー本体同士の接続が密接した状態で行うことができ、かつ天端Ｂ上に空間部を確保することができ、これにより夏期における温度上昇を抑えることができる。又養生カバー取付け部６によって基礎型枠７上に養生カバー本体３を確実に取る付けることができると共に、その取り外しも容易に行うことが可能となる。
【図面の簡単な説明】
【００３７】
【図１】本発明を適用した基礎天端養生用カバーの一例を説明するための斜視図である。
【図２】本発明を適用した基礎天端養生用カバーにおける養生カバー本体の寸法を示す説明図である。
【図３】本発明を適用した基礎天端養生用カバーにおける養生カバー本体の取り付け状態の一例を示す説明図である。
【図４】本発明を適用した基礎天端養生用カバーにおける養生カバー本体の他の例を説明するための断面図である。
【図５】本発明を適用した養生カバー本体を基礎型枠の終端側およびＬ字、Ｔ字および十字部分に使用するための一例を説明するための斜視図である。
【図６】本発明を適用した基礎天端養生用カバーを基礎型枠のＬ字状立ち上げ部分に用いた例を示す説明図である。
【図７】本発明を適用した基礎天端養生用カバーを基礎型枠のＴ字状立ち上げ部分に用いた例を示す説明図である。
【図８】本発明を適用した基礎天端養生用カバーを基礎型枠の十字状立ち上げ部分に用いた例を示す説明図である。
【図９】本発明を適用した基礎天端養生用カバーを基礎型枠に取付けた状態を示す断面説明図である。
【図１０】図９における平面説明図である。
【図１１】従来の基礎型枠の施工例を示す説明図である。
【図１２】従来の基礎天端養生用カバーである特許文献１における説明図である。
【図１３】従来の基礎天端養生用カバーである特許文献２における説明図である。
【符号の説明】
【００３８】
１      基礎天端養生用カバー
２      載置板
３      養生カバー本体
４      伸縮部材
５      型枠係留用フック部
６      養生カバー取付け部
７      基礎型枠
８      断熱材
９      覆板
１０    連結板
【図１】
2005248441.tif 000003
【図２】
2005248441.tif 000004
【図３】
2005248441.tif 000005
【図４】
2005248441.tif 000006
【図５】
2005248441.tif 000007
【図６】
2005248441.tif 000008
【図７】
2005248441.tif 000009
【図８】
2005248441.tif 000010
【図９】
2005248441.tif 000011
【図１０】
2005248441.tif 000012
【図１１】
2005248441.tif 000013
【図１２】
2005248441.tif 000014
【図１３】
2005248441.tif 000015